(57)【要約】【課題】作業性や取り扱い性がよく、しかも、コストアップを避けることができる両面隠蔽ラベルを提供する。【解決手段】両面隠蔽ラベル１０は、はがき２０の記入欄２２Ｌ，２２Ｒを隠蔽するためのラベルであって、２つのラベル部１１と、擬似接着層１５などとを備え、ラベル部１１は、透明紙１２，粘着剤１３及び剥離紙１４が順に積層されたものであり、擬似接着層１５は、２つのラベル部１１の透明紙１２同士を擬似接着するものであり、剥離紙１４を剥離して、その下層の粘着剤１３を表出させ、２つ折りしたはがき２０で、この両面隠蔽ラベル１０を挟み込んで記入欄２２Ｌ，２２Ｒを隠蔽する。【選択図】図１
2006205609.tif 000002
【特許請求の範囲】
【請求項１】
所定の情報体の秘匿情報欄を隠蔽するための両面隠蔽ラベルであって、
透明性基材，粘着剤層及び剥離基材が順に積層された２つの積層部と、
前記２つの積層部の透明性基材同士を擬似接着する擬似接着層とを備え、
前記剥離基材を剥離して前記粘着剤層を表出させ、その粘着剤層が前記秘匿情報欄に粘着するように、前記秘匿情報欄を内側に折り畳んだ所定の情報体でこの両面隠蔽ラベルを挟み込んで、前記秘匿情報欄を隠蔽すること、
を特徴とする両面隠蔽ラベル。
【請求項２】
請求項１に記載の両面隠蔽ラベルにおいて、
前記所定の情報体は、折り予定線に対して両側に前記秘匿情報欄が設けられていること、
を特徴とする両面隠蔽ラベル。
【発明の詳細な説明】
【技術分野】
【０００１】
本発明は、はがきの記入欄などを保護するのに好適な両面隠蔽ラベルに関するものである。
【背景技術】
【０００２】
従来、「はがき」は、そのサイズが最大で１０．７ｃｍ×１５．４ｃｍと定められており、記入内容が多いと書ききれないため、このようなときには、「封書」が利用されている。
しかし、はがき（第２種郵便物）と封書（第１種郵便物）とでは、郵券代が５０円、８０円と差があるため、少量であればよいが、数多く利用する場合には、大きな差となってしまう。
そこで、はがきの表と裏の両面に記入する方法もあるが、最近は、記入内容を隠蔽したい、というニーズもある。この理由は、パソコンなどの普及に伴い、個人情報の収集が容易となったため、個人情報保護が社会的要請となっているためである。
【０００３】
さて、このとき、両面に記入されたはがきの場合は、隠蔽ラベルを表裏に２枚貼り込むことになる（例えば、特許文献１）。
はがき１通に対して、隠蔽ラベルを２枚（１枚／面）貼ること自体は、郵便規則の点からは問題なく、１通あたりの重量が２ｇ以上６ｇ未満であることが守られていればよい（現時点の郵便規則）。
【０００４】
しかし、現在では、はがきに対して２枚の隠蔽ラベルを添付する運用そのものが、敬遠される傾向にある。この理由は、例えば、請求書などの封書に隠蔽ラベルを同封する場合、設備の都合上、封入物の枚数に制限があるので、はがきと隠蔽ラベルだけで３枚分も使用してしまうことは避けたい、という点にある。
【０００５】
また、手渡しする場合であっても、３枚をセットにして渡さなければならず、煩雑な作業が強いられる。
しかも、３枚をセットにする作業を加えればコストアップになり、特に、従来の隠蔽ラベル付きはがきのような構成で、表裏それぞれに隠蔽ラベルを添付しようとすると、専用設備があれば問題ないものの、通常は、作業性が悪いことからその歩留まりも悪く、結局は、納期もコストも余計にかかるだけ、という状況であった。
【特許文献１】特開２００１−００５３９１号公報
【発明の開示】
【発明が解決しようとする課題】
【０００６】
本発明の課題は、作業性や取り扱い性がよく、しかも、コストアップを避けることができる両面隠蔽ラベルを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、所定の情報体（２０）の秘匿情報欄（２２）を隠蔽するための両面隠蔽ラベルであって、透明性基材（１２），粘着剤層（１３）及び剥離基材（１４）が順に積層された２つの積層部（１１）と、前記２つの積層部（１１）の透明性基材（１２）同士を擬似接着する擬似接着層（１５）とを備え、前記剥離基材（１４）を剥離して前記粘着剤層（１３）を表出させ、その粘着剤層（１３）が前記秘匿情報欄（２２）に粘着するように、前記秘匿情報欄（２２）を内側に折り畳んだ所定の情報体（２０）でこの両面隠蔽ラベルを挟み込んで、前記秘匿情報欄（２２）を隠蔽すること、を特徴とする両面隠蔽ラベルである。
請求項２の発明は、請求項１に記載の両面隠蔽ラベルにおいて、前記所定の情報体（２０）は、折り予定線（２１）に対して両側に前記秘匿情報欄（２２Ｌ，２２Ｒ）が設けられていること、を特徴とする両面隠蔽ラベルである。
【発明の効果】
【０００８】
本発明によれば、１つの両面隠蔽ラベルで、所定の情報体の内側の２面を一度に隠蔽できるので、効率がよく、作業性や取り扱い性に優れる。
また、従来、秘匿情報欄が２つあれば、２つ必要であった隠蔽ラベルを１つに削減することができる。
【発明を実施するための最良の形態】
【０００９】
本発明は、作業性や取り扱い性がよく、しかも、コストアップを避けることができる両面隠蔽ラベルを提供するという目的を、透明紙／粘着剤／剥離紙からなる２つのラベル部の透明紙同士を擬似接着することにより実現する。
【実施例】
【００１０】
以下、図面等を参照して、本発明の実施例について、さらに詳しく説明する。
図１は、本発明による両面隠蔽ラベルの実施例を示す図である。
本実施例の両面隠蔽ラベル１０は、はがき（所定の情報体）２０の記入欄（秘匿情報欄）２２を隠蔽するためのラベルであって、２つのラベル部（積層部）１１と、擬似接着層１５などとを備える。
【００１１】
ラベル部１１は、透明紙（透明性基材）１２，粘着剤（粘着剤層）１３及び剥離紙（剥離基材）１４が順に積層されたものである。
【００１２】
擬似接着層１５は、２つのラベル部１１の透明紙１２同士を擬似接着するものであり、例えば、熱可塑性樹脂を用いたものや、感圧接着剤を用いたもの、接着剤層／剥離層の層構成を用いたものなどを利用することができる。
【００１３】
はがき２０は、アンケート用のはがきであって、連量が９０ｋｇ／四六の上質紙であり、折りミシン目（折り予定線）２１に対して両側に、アンケートに対する回答を記入するための記入欄２２Ｌ，２２Ｒが設けられている。
【００１４】
次に、本実施例による両面隠蔽ラベル１０の使用方法について説明する。
まず、はがき２０の記入欄２２Ｌ，２２Ｒにアンケートの回答を記入する。
ついで、両面隠蔽ラベル１０の剥離紙１４を１枚剥離して、その下層の粘着剤１３を表出させる。
さらに、図中矢印Ａに示すように、右側の記入欄２２Ｒに、表出させた粘着剤１３が粘着するように、両面隠蔽ラベル１０を貼り込む。
このとき、折りミシン目２１に、両面隠蔽ラベル１０のエッジ部分（端）を接触させるようにすると、位置合わせが行いやすい。
【００１５】
続いて、残ったもう一方の剥離紙１４を剥離して、その下層の粘着剤１３を表出させる。
そして、表出させた粘着剤１３に、左側の記入欄２２Ｌが粘着するように、折りミシン目２１を用いてはがき２０を２つ折りし、記入欄２２を内側に折り畳んだはがき２０で両面隠蔽ラベル１０を挟み込んで、記入欄２２を隠蔽する。
【００１６】
最後に、この状態でポストに投函する。
受取側で、はがき２０を開くと、擬似接着層１５部分で開封され、透明紙１２で覆われた記入欄２２が確認できる。
【００１７】
このように、本実施例によれば、以下のような効果がある。
（１）１つの両面隠蔽ラベル１０で、はがき２０の内側の２つの記入欄２２Ｌ，２２Ｒを一度に隠蔽できるので、効率がよく、作業性や取り扱い性に優れる。
（２）従来、記入欄が２つあれば、２つ必要であった隠蔽ラベルを１つに削減することができる。
（３）２つのラベル部１１を擬似接着することによって、構成が非常にシンプルとなり、資材に無駄がない。
【００１８】
（４）本来であれば、はがき２０は、郵便規則により、連量が１１０ｋｇ／四六以上のものが望ましいが、透明紙１２などの重量を加味して用紙選択が可能であり（本実施例では、連量：９０ｋｇ／四六）、その分のコストダウンが図れる。
（５）２つの剥離紙１４は、それぞれ別々に剥離できるので、必要に応じた場面で剥離でき、隠蔽作業中の不用意なべたつきがない。
（６）受取側では、はがき２０を見開きで使用できる。
【００１９】
（変形例）
以上説明した実施例に限定されることなく、種々の変形や変更が可能であって、それらも本発明の均等の範囲内である。
例えば、ラベル部１１には、透明紙，粘着剤及び剥離紙が順に積層されたタック紙を用いるようにして、製造コストを抑えてもよい。
また、所定の情報体は、アンケート用のはがき２０の例で説明したが、申込書用のはがきなどであってもよく、また、隠蔽すべき秘匿情報欄を有するものであれば、その種類は問わない。
さらに、はがき２０は、折りミシン目２１に対して両側に記入欄２２が設けられている例で説明したが、片側だけに記入欄が設けられているはがきであっても、本実施例の両面隠蔽ラベル１０を使用することができる。
【図面の簡単な説明】
【００２０】
【図１】本発明による両面隠蔽ラベルの実施例を示す図である。
【符号の説明】
【００２１】
１０  両面隠蔽ラベル
１１  ラベル部（積層部）
１２  透明紙（透明性基材）
１３  粘着剤（粘着剤層）
１４  剥離紙（剥離基材）
１５  擬似接着層
２０  はがき（所定の情報体）
２１  折りミシン目（折り予定線）
２２  記入欄（秘匿情報欄）
２２Ｌ  左側の記入欄
２２Ｒ  右側の記入欄
【図１】
2006205609.tif 000003